(57)【要約】【課題】既存の側部に環状の取っ手を有するカップの飲み口を斜め下方に向けて保持することにより水を溜めにくくして衛生的に保管することができるカップ用壁掛け用具を提供する【解決手段】側部に環状の取っ手を有するカップを、飲み口を斜め下方に向けて懸吊するためのカップ用壁掛け用具１であって、壁面に固定される板状の基板２と、この基板２の表面から突出して取っ手が挿入される２つのフック３とを備えてなり、かつフック３は、それぞれ１つのカップ６の取っ手に挿入可能となるように基板２の表面の上下方向に間隔をおいて設けられるとともに、少なくとも上方の先端部４には、上方に向けて屈曲形成されて取っ手の脱落を防止する係止部７が形成されている。また、フック３の側方に位置する基板２の表面は、上方から下方に向けて漸次板厚保が増加する傾斜面５によって形成されていることを特徴とするものである。【選択図】図１
2010017287.tif 000002
【特許請求の範囲】
【請求項１】
側部に環状の取っ手を有するカップを、飲み口を斜め下方に向けて懸吊するためのカップ用壁掛け用具であって、
壁面に固定される板状の基板と、この基板の表面から突出して上記取っ手が挿入される２つのフックとを備えてなり、かつ上記フックは、それぞれ１つの上記カップの上記取っ手に挿入可能となるように上記表面の上下方向に間隔をおいて設けられるとともに、少なくとも上方の先端部には、上方に向けて屈曲形成されて上記取っ手の脱落を防止する係止部が形成されてなることを特徴とするカップ用壁掛け用具。
【請求項２】
上記フック部の側方に位置する上記基板の表面は、上方から下方に向けて漸次板厚が増加する傾斜面によって形成されていることを特徴とする請求項１に記載のカップ用壁掛け用具。
【発明の詳細な説明】
【技術分野】
【０００１】
本発明は、側部に環状の取っ手を有するカップを、飲み口を下方に向けて懸吊することにより、カップを衛生的に保管することが可能なカップ用壁掛け用具に関するものである。
【背景技術】
【０００２】
一般的に、洗面台等で使用される側部に環状の取っ手を有するカップは、使用後、洗面台に置いて飲み口を上方に向けて載置するか、壁に固定したフックに懸吊して飲み口を上方に向けて釣支する。しかし、この保管では、水切りが悪くカップ内に水滴が残りやすいために、時間が経過するにつれて雑菌や水垢が発生するとともに、カップ内に塵埃などが入るために、カップが汚れて不衛生である。また、カップの飲み口を下方に向けて洗面台の上に倒立させることにより、カップ内に水滴を溜まりにくくすることができるものの、飲み口が洗面台と接触するために、飲み口に汚れが付着する恐れがあるので、この保管もまた不衛生である。
【０００３】
そこで、この不具合に対して、下記特許文献１のように、カップ本体を加工することにより、カップ内に水滴を溜まりにくくして、衛生的に上記カップを保管するものが提案されている。このカップ本体は、取っ手を有するカップであって、取っ手に少なくとも１つの係止孔を形成して、この係止孔は、壁面等に固定された係止フックと係合したときに、カップの飲み口が斜め下向きになるように穿設されている。
【特許文献１】特開２００４−１８７７９４号公報
【発明の開示】
【発明が解決しようとする課題】
【０００４】
しかしながら、特許文献１に記載のように、カップ本体を加工してしまうと、専用のカップに限定されてしまうとともに、カップを加工する作業が発生するためにコストアップになるという問題点がある。
【０００５】
本発明は、上記従来技術の問題点を解決すべくなされたもので、既存の環状の取っ手を有するカップの飲み口を斜め下方に向けて保持することにより、カップ内に水滴を溜めにくくして衛生的に保管することができるカップ用壁掛け用具を提供することを課題とするものである。
【課題を解決するための手段】
【０００６】
上記課題を解決するために、請求項１に記載の本発明は、側部に環状の取っ手を有するカップを、飲み口を斜め下方に向けて懸吊するためのカップ用壁掛け用具であって、壁面に固定される板状の基板と、この基板の表面から突出して上記取っ手が挿入される２つのフックとを備えてなり、かつ上記フックは、それぞれ１つの上記カップの上記取っ手に挿入可能となるように上記表面の上下方向に間隔をおいて設けられるとともに、少なくとも上方の先端部には、上方に向けて屈曲形成されて上記取っ手の脱落を防止する係止部が形成されてなることを特徴とするものである。
【０００７】
ここで、請求項２に記載の本発明は、上記フックの側方に位置する上記基板の表面は、上方から下方に向けて漸次板厚保が増加する傾斜面によって形成されていることを特徴とするものである。
【発明の効果】
【０００８】
一般的に多用されるカップ用壁掛け用具においては、基板と１つのフックによって構成されているために、環状の取っ手を有するカップを上記フックに懸吊すると、上記カップは、上記フックを支点にして重心により上方もしくは横に向いて保持される。このため、水滴が内部に残り、雑菌や水垢が発生するので、上記カップを衛生的に保管することが難しい。
【０００９】
この点、請求項１に記載の発明においては、上記基板の表面から突出して取っ手が挿入される２つのフックを備えており、上記２つのフックは、それぞれ１つの上記カップの上記取っ手に挿入可能となるように上記表面の上下方向に間隔を置いて設けているために、上記カップの上記取っ手に上記フックを挿入した際、上記カップの重心により、上方の上記フックを支点に飲み口が上向きなる方向に上記カップが回転しようとしても、下方の上記フックが、上記カップの飲み口を斜め下方に向けた位置で上記カップの取っ手あるいは側部を支持して回転を阻止するために、カップの飲み口を斜め下方に向けて上記カップを保持することが可能である。この結果カップ内に水滴が残ることがなく、雑菌および水垢の発生を防ぐとともに、塵埃が入るのを防ぐために、衛生的に保管することができる。
【００１０】
そして、上方の上記フックの先端部には、上方に向けて屈曲形成している係止部を設けているために、上記取っ手の脱落を防止することができる。
【００１１】
請求項２に記載の本発明によれば、上記フックの側方に位置する上記基板の表面は、上方から下方に向けて漸次板厚が増加する傾斜面を形成しているために、取っ手を懸吊した際に壁面側に位置する上記カップの側面と上記傾斜面とが接触すると、上記基板の厚みにより、壁面と上記カップの側面とに間隔を形成する。これにより、上記カップの飲み口と壁面とが接触することがなくなるために、飲み口に汚れが付着することなく、上記カップを衛生的に保管することができる。
【発明を実施するための最良の形態】
【００１２】
以下、本発明の一実施形態を具体的に説明する。
【００１３】
図１〜３は、本発明のカップ用壁掛け用具１の一実施形態を示すものである。
【００１４】
図１及び図２（ａ）に示すように、基板２は、板状に形成されている。そして、基板２の表面の上下方向に間隔（図では指２本分）をおいてフック３が２つ突出して設けられている。このフック３は、それぞれ帯板状の部材で、その板面を鉛直方向に沿わせて配置されている。加えて、上方のフック３の先端部４は、上方に向けて屈曲形成されて係止部５が形成されており、また、下方のフック３の先端部４は、上方に向けて屈曲形成されて支持部８が形成されている。さらに、上方のフック３は、水平方向より上方側に傾斜（図では３度）して突出しており、また、下方のフック３は、水平方向に突出している。
【００１５】
さらに、図１及び図２（ｃ）に示すように、フック３の側方に位置する基板２の表面には、上方から下方に向けて漸次板厚が増加する傾斜面５が形成されている。
【００１６】
以上の構成からなるカップ用壁掛け用具１は、図３に示すように、洗面所や台所の壁面９に配置して、基板２の裏面に吸盤や、粘着テープを取り付けて貼設する。そして、カップ６の飲み口を下方に向けて、取っ手にフック３を挿入することにより、カップ６を懸吊する。
【００１７】
上述実施形態のカップ用壁掛け用具１は、基板２の表面から突出して取っ手が挿入される２つのフック３を備えており、フック３は、それぞれ１つのカップ６の取っ手に挿入可能となるように、基板２の表面の上下方向に間隔をおいて設けているために、カップ６の取っ手にフック３を挿入した際、カップ６の重心により、上方のフック３を支点にして飲み口が上向きなる方向にカップ６が回転しようとしても、下方のフック３がカップ６の飲み口を斜め下方に向けた位置でカップ６の取っ手あるいは側部を支持して回転を阻止するために、カップ６の飲み口を斜め下方に向けて保持することができる。これにより、カップ６の使用後に、カップ６内に残った水滴が飲み口より垂れて、カップ６内は、早々に乾燥するために、水滴により発生する殺菌及び水垢の発生を防ぐとともに、塵埃が入るのを防ぐことができるので、衛生的にカップ６を保管することが可能である。
【００１８】
加えて、上方のフック３の先端部４には、上方に向けて屈曲形成している係止部７を設けているために、取っ手の脱落を防止することができる  
【００１９】
しかも、フック３の側方に位置する基板２の表面は、上方から下方に向けて漸次板厚が増加する傾斜面５を形成しているために、取っ手を懸吊した際に壁面９側に位置するカップ６の側面と傾斜面５とが接触すると、基板２の厚みにより、壁面９とカップ６の側面に間隔Ｓ１を形成する。これにより、カップ６の飲み口と壁面９とが接触することがなくなるために、飲み口に汚れが付着することがなく、カップ６を衛生的に保管することができる。
【００２０】
さらに、上方のフック３は、水平方向より上方側に３度傾斜させて形成しているために、上方フック３に懸吊されたカップ６は、壁面９側に寄せられるので、カップ６の脱落を防ぐことができる。
【００２１】
また、上方のフック３と下方のフック３との間隔を、指２本分の間隔で形成しているために、既存の環状の取っ手を有するカップの殆どを懸吊することが可能である。
【００２２】
加えて、フック３は、それぞれ帯板状の部材で、その板面を鉛直方向に沿わせて配置しているために、幅広の形状を有する板面がカップ６の取っ手あるいは側部を安定した状態で支持するとともに、板厚方向の面は、幅の狭い形状を有するために、取っ手に挿入し易くなっており、かつ環状の取っ手を横短に形成しているカップ６等も懸吊することが可能である。
【００２３】
また、指一本程度の広さの環状の取っ手を有するカップを懸吊する場合には、上方のフック３のみを取っ手に挿入する。すると、カップの重心により、上方のフック３を支点にカップは飲み口が上向きになる方向に回転しようとする。しかし、下方のフック３がカップの飲み口を斜め下方に向けた位置で、カップの飲み口近傍の側部を支持して回転を阻止するために、カップの飲み口を斜め下方にむけて保持することができる。その際、下方のフック３の先端部４には、上方に向けて屈曲形成している支持部８設けているために、下方のフック３の板面と支持部８との幅広い範囲により、カップ６の飲み口近傍の側部を支持することができるので、安定した状態で支持することが可能である。
【００２４】
この結果、上記カップ用壁掛け用具１によれば、様々な形状の環状の取っ手を有するカップを安定した状態で懸吊することができるとともに、衛生的にカップを保管することが可能である。
【図面の簡単な説明】
【００２５】
【図１】本発明の一実施形態を示すカップ用壁掛け用具の斜面図である。
【図２】本発明の一実施形態を示すカップ用壁掛け用具の（ａ）は正面図、（ｂ）は左側面図、（ｃ）は右側面図、（ｄ）は平面図である。
【図３】本発明の一実施形態を示すカップ用壁掛け用具にカップを懸吊する場合の、（ａ）は左側面図、（ｂ）は右側面図
【符号の説明】
【００２６】
１  カップ用壁掛け用具
２  基板
３  フック
４  先端部
５  傾斜面
６  カップ
７  係止部
９  壁面
【図１】
2010017287.tif 000003
【図２】
2010017287.tif 000004
【図３】
2010017287.tif 000005